(57)【特許請求の範囲】
【請求項１】
基板上の一方向に配置された複数のゲート信号線と、前記ゲート信号線と交差する方向に配置された複数のドレイン信号線と、前記ゲート信号線からの走査信号により選択されると共に前記ドレイン信号線から映像信号が供給される表示画素がマトリックス状に配置された表示装置において、
前記ゲート信号線から入力される信号に応じて前記ドレイン信号線からのアナログ映像信号を保持する補助容量を備え、該補助容量に保持された信号を表示電極に供給する第１の表示回路と、
前記第１の表示回路に隣接して配置され、前記ゲート信号線から入力される信号に応じて前記ドレイン信号線からのデジタル映像信号を保持する保持回路と、該保持回路からの信号に応じて前記表示電極に供給する第１の信号線と第２の信号線からのいずれかの信号を選択する信号選択回路とを備えた第２の表示回路と、  回路選択信号に応じて、前記第１及び第２の表示回路を選択的に前記ドレイン信号線に接続するための回路選択回路と、を備え、
前記表示電極の対向電極の信号は前記回路選択信号に応じて変化させることなく、
前記補助容量の電極をバイアスする補助容量線と前記第１又は第２の信号線とを共通化し、かつ、前記補助容量線に供給される信号と前記対向電極の信号とは同一信号であることを特徴とする表示装置。
【発明の詳細な説明】
【０００１】
【発明の属する技術分野】
本発明は表示装置に関し、特に携帯可能な表示装置に用いて好適な表示装置に関する。
【０００２】
【従来の技術】
近年、携帯可能な表示装置、例えば携帯テレビ、携帯電話等が市場ニーズとして要求されている。かかる要求に応じて表示装置の小型化、軽量化、省消費電力化に対応すべく研究開発が盛んに行われている。
【０００３】
図６に従来例に係る液晶表示装置の一表示画素の回路構成図を示す。絶縁性基板（不図示）上に、ゲート信号線５１、ドレイン信号線６１とが交差して形成されており、その交差部近傍に両信号線５１、６１に接続されたＴＦＴ６５が設けられている。ＴＦＴ６５のソース１１ｓは液晶２１に電圧を印加する表示電極８０に接続されている。
【０００４】
また、表示電極８０の電圧を１フィールド期間保持するための補助容量８５が設けられており、この補助容量８５の一方の端子８６はＴＦＴ６５のソース１１ｓに接続され、他方の電極８７には各表示画素に共通の電位が印加されている。
【０００５】
ここで、ゲート信号線５１に走査信号が印加されると、ＴＦＴ６５はオン状態となり、ドレイン信号線６１からアナログ映像信号が表示電極８０に伝達されると共に、補助容量８５に保持される。表示電極８０に印加された映像信号電圧が液晶２１に印加され、その電圧に応じて液晶２１が配向することにより液晶表示を得ることができる。
【０００６】
したがって、動画像、静止画像に関係なく表示を得ることができる。かかる液晶表示装置に静止画像を表示する場合、例えば携帯電話の液晶表示部の一部に携帯電話を駆動するためのバッテリの残量表示として、乾電池の画像を表示することになる。
【０００７】
しかしながら、上述した構成の液晶表示装置においては、静止画像を表示する場合であっても、動画像を表示する場合と同様に、走査信号でＴＦＴ６５をオン状態にして、映像信号を各表示画素に再書き込みする必要が生じていた。
【０００８】
そのため、走査信号及び映像信号等の駆動信号を発生するためのドライバ回路、及びドライバ回路の動作タイミングを制御するための各種信号を発生する外部ＬＳＩは常時動作するため、常に大きな電力を消費していた。このため、限られた電源しか備えていない携帯電話等では、その使用可能時間が短くなるという欠点があった。
【０００９】
これに対して、各表示画素にスタティック型メモリを備えた液晶表示装置が特開平８−１９４２０５号に開示されている。同公報の一部を引用して説明すると、この液晶表示装置は、図７に示すように、２段インバータＩＮＶ１，ＩＮＶ２を正帰還させた形のメモリ、即ちスタティック型メモリをデジタル映像信号の保持回路として用いることにより、消費電力を低減するものである。
【００１０】
ここで、スタティック型メモリに保持された２値デジタル映像信号に応じて、スイッチ素子２４は参照線Ｖrefと表示電極８０との間の抵抗値を制御し、液晶２１のバイアス状態を調整している。一方、共通電極には交流信号Ｖcomを入力する。本装置は理想上、静止画像のように表示画像に変化がなければ、メモリへのリフレッシュは不要である。
【００１１】
【発明が解決しようとする課題】
上述したように、従来の液晶表示装置ではアナログ映像信号に対応してフルカラーの動画像を表示するのに適している。一方、デジタル映像信号を保持するためのスタティック型メモリを備えた液晶表示装置では、低階調度の静止画像を表示すると共に、消費電力を低減するのに適している。
【００１２】
しかしながら、両液晶表示装置は映像信号源を異にしているため、１つの表示装置において、フルカラーの動画像表示と、低消費電力に対応した静止画像表示とを同時に実現することができなかった。
【００１３】
そこで、本発明の目的とするところは、１つの表示装置（例えば、1枚の液晶表示パネル）でフルカラーの動画像表示と、低消費電力の階調表示という２種類の表示に対応することを可能とした表示装置を提供することである。
【００１４】
また、本発明の他の目的は、表示装置の表示画素の高集積化を図ることである。
【００１５】
【課題を解決するための手段】
本発明の表示装置は基板上の一方向に配置された複数のゲート信号線と、前記ゲート線と交差する方向に配置された複数のドレイン信号線と、前記ゲート信号線からの走査信号により選択されると共に前記ドレイン信号線から映像信号が供給される表示画素がマトリックス状に配置された表示装置において、
前記ゲート信号線から入力される信号に応じて前記ドレイン信号線からのアナログ映像信号を保持する補助容量とを備え、該補助容量に保持された信号を表示電極に供給する第１の表示回路と、
前記第１の表示回路に隣接して配置され、前記ゲート信号線から入力される信号に応じて前記ドレイン信号線からのデジタル映像信号を保持する保持回路と、該保持回路からの信号に応じて前記表示電極に供給する第１の信号線と第２の信号線からのいずれかの信号を選択する信号選択回路とを備えた第２の表示回路と、回路選択信号に応じて、第１及び第２の表示回路を選択的に前記ドレイン信号線に接続するための回路選択回路と、を備え、
前記表示電極の対向電極の信号は前記回路選択信号に応じて変化させることなく、
前記補助容量の電極をバイアスする補助容量線と前記第１又は第２の信号線とを共通化し、かつ、前記補助容量線に供給される信号と前記対向電極の信号とは同一信号であることを特徴とする表示装置。
【００１６】
本発明によれば、１つの表示装置で、アナログ表示モードによるフルカラーの動画像表示と、デジタル表示モードによる低消費電力のデジタル階調表示という２種類の表示を選択することが可能となると共に、補助容量の電極をバイアスする補助容量線と第１又は第２の信号線とを共通化したので、補助容量線で第１又は第２の信号線を兼ねることで、信号線を１本削減することができる。
【００１７】
【発明の実施の形態】
次に、本発明の実施形態に係る表示装置について説明する。図１に本発明の表示装置を液晶表示装置に応用した場合の回路構成図を示す。
【００１８】
絶縁基板１０上に、走査信号を供給するゲートドライバ５０に接続された複数のゲート信号線５１が一方向に配置されており、これらのゲート信号線５１と交差する方向に複数のドレイン信号線６１が配置されている。
【００１９】
ドレイン信号線６１には、ドレインドライバ６０から出力されるサンプリングパルスのタイミングに応じて、サンプリングトランジスタＳＰ１，ＳＰ２，…，ＳＰｎがオンし、データ信号線６２のデータ信号（アナログ映像信号又はデジタル映像信号）が供給される。
【００２０】
液晶表示パネル１００には、ゲート信号線５１からの走査信号により選択されると共に、ドレイン信号線６１からのデータ信号が供給される複数の表示画素２００がマトリックス状に配置されて構成されている。
【００２１】
以下、表示画素２００の詳細な構成について説明する。ゲート信号線５１とドレイン信号線６１の交差部近傍には、Ｐチャネル型ＴＦＴ４１及びＮチャネル型４２から成る回路選択回路４０が設けられている。ＴＦＴ４１，４２の両ドレインはドレイン信号線６１に接続されると共に、それらの両ゲートは回路選択信号線８８に接続されている。ＴＦＴ４１，４２は、回路選択信号線８８からの選択信号に応じていずれか一方がオンする。また、後述するように回路選択回路４０と対を成して、回路選択回路４３が設けられている。
【００２２】
これにより、後述するアナログ映像信号表示（フルカラー動画像対応）とデジタル映像表示（低消費電力、静止画像対応）とを選択して切換えることが可能となる。また、回路選択回路４０に隣接して、Ｎチャネル型ＴＦＴ７１及びＮチャネル型ＴＦＴ７２から成る画素選択回路７０が配置されている。ＴＦＴ７１，７２はそれぞれ回路選択回路４０のＴＦＴ４１，４２と縦列に接続されると共に、それらの両ゲートにはゲート信号線５１が接続されている。ＴＦＴ７１，７２はゲート信号線５１からの走査信号に応じて両方が同時にオンするように構成されている。
【００２３】
また、アナログ映像信号を保持するための補助容量８５が設けられている。補助容量８５の一方の電極８６はＴＦＴ７１のソース７１ｓに接続されている。他方の電極８７は共通の補助容量線８１に接続され、バイアス電圧Ｖｓｃ（例えば電圧ＶDD）が供給されている。ＴＦＴ７１のゲートが開いてアナログ映像信号が液晶２１に印加されると、その信号は１フィールド期間保持されなければならないが、液晶２１のみではその信号の電圧は時間経過とともに次第に低下してしまう。そうすると、表示むらとして現れてしまい良好な表示が得られなくなる。そこでその電圧を１フィールド期間保持するために補助容量８５を設けている。
【００２４】
この補助容量８５と液晶２１との間には、回路選択回路４３のＰチャネル型ＴＦＴ４４が設けられ、回路選択回路４３のＴＦＴ４１と同時にオンオフするように構成されている。
【００２５】
また、画素選択回路７０のＴＦＴ７２と液晶２１の表示電極８０との間には、保持回路１１０、信号選択回路１２０が設けられている。保持回路１１０は、正帰還された２つのインバータ回路から成り、デジタル２値を保持するスタティック型メモリを構成している。
【００２６】
また、信号選択回路１２０は、保持回路１１０からの信号に応じて信号を選択する回路であって、２つのＮチャネル型ＴＦＴ１２１、１２２で構成されている。ＴＦＴ１２１、１２２のゲートには保持回路１１０からの相補的な出力信号がそれぞれ印加されているので、ＴＦＴ１２１、１２２は相補的にオンオフする。
【００２７】
ここで、ＴＦＴ１２２がオンすると交流駆動信号（信号Ｂ）が選択され、ＴＦＴ１２１がオンするとその対向電極信号ＶCOM（信号Ａ）が選択され、回路選択回路４３のＴＦＴ４５を介して、液晶２１に電圧を印加する表示電極８０に供給される。液晶表示パネル１００がノーマリーホワイトである場合には、信号Ａが選択されると白表示、信号Ｂが選択されると黒表示となる。
【００２８】
上述した構成を要約すれば、画素選択素子であるＴＦＴ７１及びアナログ映像信号を保持する補助容量８５から成る回路（第１の表示回路）と、画素選択素子であるＴＦＴ７２、２値のデジタル映像信号を保持する保持回路１１０、信号選択回路１２０から成る回路（第２の表示回路）とが１つの表示画素２００内に設けられ、更に、これら２つの回路を選択するための回路選択回路４０，４３が設けられている。
【００２９】
次に、液晶パネル２００の周辺回路について説明する。液晶パネル２００の絶縁性基板１０とは別基板の外付け回路基板９０には、パネル駆動用ＬＳＩ９１が設けられている。この外付け回路基板９０のパネル駆動用ＬＳＩ９１から垂直スタート信号ＳＴＶがゲートドライバ５０に入力され、水平スタート信号ＳＴＨがドレインドライバ６０に入力される。また映像信号がデータ線６２に入力される。
【００３０】
図２は映像信号の切換回路の回路構成図である。スイッチＳＷ１が端子Ｐ２側と接続されると入力端子Ｄｉｎから入力されたｎビットのデジタル映像信号はＤＡコンバータ１３０によってアナログ映像信号に変換された後、データ線６２に出力される。一方、スイッチＳＷ１が端子Ｐ１側に切り換わると、ｎビットのデジタル映像信号の例えば最上位ビットがデータ線６２に出力される。スイッチＳＷ１の切換えは、アナログ表示モードと低消費電力対応のデジタル表示モードの切換えを制御するモード切換信号ＭＤに応じて行われる。
【００３１】
図３に本発明の表示装置を液晶表示装置に応用した場合のもう１つ他の回路構成図を示す。図１に示した液晶表示装置では、信号選択回路１２０によって選択される白黒表示用の信号Ａ，信号Ｂはそれぞれ信号線８２，８３を用いて供給されていた。また、補助容量線８１もこれらの信号線８２,８３とは別々に配線されていた。このため配線領域が大きくなり画素の高精細化を困難にしていた。
【００３２】
これに対して、補助容量線８１によって供給されるバイアス電圧Ｖｓｃと信号Ａとを共通化することにした。ここで、上述したように液晶２１の対向電極３２に供給される対向電極信号ＶCOMは信号Ａと同一である。したがって、Ｖｓｃ＝信号Ａ＝対向電極信号ＶCOMとなる。
【００３３】
補助容量線８１は信号源から各表示画素２００に配線され、各表示画素２００内で分岐して信号選択回路１２０の位置へ延在され、信号選択回路１２０のＴＦＴ１２１のドレインに接続される。図１における信号Ａを供給するための信号線８２は不要となるので削除可能である。これにより信号線が１本削減されるので、その分、配線領域が小さくなり画素の高精細化が可能となる。
【００３４】
次に、図２、図３、及び図４を参照しながら、上述した構成の表示装置の駆動方法について説明する。図４は、液晶表示装置がデジタル表示モードに選択された場合のタイミング図である。
（１）アナログ表示モードの場合
モード切換信号ＭＤに応じて、アナログ表示モードが選択されると、データ信号線６２にアナログ映像信号が出力される状態に設定される。また、回路選択回路４０，４３のＴＦＴ４１，４４がオンする。
【００３５】
また、水平スタート信号ＳＴＨに基づくサンプリング信号に応じてサンプリングトランジスタＳＰがオンしデータ信号線６２のアナログ映像信号がドレイン信号線６１に供給される。
【００３６】
また、垂直スタート信号ＳＴＶに基づいて、走査信号がゲート信号線５１に供給される。走査信号に応じて、ＴＦＴ７１がオンすると、ドレイン信号線６１からアナログ映像信号Ｓｉｇが表示電極８０に伝達されると共に、補助容量８５に保持される。表示電極８０に印加された映像信号電圧が液晶２１に印加され、その電圧に応じて液晶２１が配向することにより液晶表示を得ることができる。
【００３７】
このアナログ表示モードでは、フルカラーの動画像を表示するのに好適である。ただし、外付け回路基板９０のＬＳＩ９１、各ドライバ５０，６０にはそれらを駆動するために、絶えず電力が消費されている。
（２）デジタル表示モード
モード切換信号ＭＤに応じて、デジタル表示モードが選択されると、データ信号線６２にデジタル映像信号が出力される状態に設定される。また、回路選択回路４０，４３のＴＦＴ４１，４４がオフすると共に、ＴＦＴ４２，４５がオンする。
【００３８】
また、外付け回路基板９０のパネル駆動用ＬＳＩ９１から、ゲートドライバ５０及びドレインドライバ６０にスタート信号ＳＴＶ，ＳＴＨが入力される。それに応じてサンプリング信号が順次発生し、それぞれのサンプリング信号に応じてサンプリングトランジスタＳＰ１，ＳＰ２，…，ＳＰｎが順にオンしてデジタル映像信号Ｓｉｇをサンプリングして各ドレイン信号線６１に供給する。
【００３９】
ここで第１行、即ち走査信号Ｇ１が印加されるゲート信号線５１について説明する。まず、走査信号Ｇ１によってゲート信号線５１に接続された各表示画素Ｐ１１、Ｐ１２、…、Ｐ１ｎの各ＴＦＴが１水平走査期間オンする。
【００４０】
第１行第１列の表示画素Ｐ１１に注目すると、サンプリング信号ＳＰ１によってサンプリングしたデジタル映像信号Ｓ１１がドレイン信号線６１に入力される。そしてＴＦＴ７２が走査信号Ｇ１によってオン状態になるとそのドレイン信号Ｄ１が保持回路１１０に入力される。
【００４１】
この保持回路１１０で保持された信号は、信号選択回路１２０に入力されて、この信号選択回路１２０で信号Ａ又は信号Ｂを選択して、その選択した信号が表示電極８０に印加され、その電圧が液晶２１に印加される。ここで、図３に示した回路では、信号Ａに相当する信号は補助容量線８１から、補助容量８５のバイアス電圧Ｖｓｃと共通に供給される（Ｖｓｃ＝信号Ａ）。
【００４２】
こうしてゲート信号線５１から最終行のゲート信号線５１まで走査することにより、１画面分（１フィールド期間）のスキャン、即ち全ドットスキャンが終了し１画面が表示される。
【００４３】
ここで、１画面が表示されると、ゲートドライバ５０並びにドレインドライバ６０及び外付けのパネル駆動用ＬＳＩ９１への電圧供給を停止しそれらの駆動を止める。
【００４４】
保持回路１１０には常に電圧ＶDD，ＶSSを供給して駆動し、また対向電極電圧を対向電極３２に、各信号Ａ及びＢを選択回路１２０に供給する。対向電極３２には対向電極電圧ＶCOMが印加され、液晶表示パネル１００がノーマリーホワイト（ＮＷ）の場合には、信号Ａには対向電極３２と同じ電位の電圧を印加し、信号Ｂには液晶を駆動するための交流電圧（例えば６０Ｈｚ）を印加する。ここで、図３に示した回路では、信号Ａは補助容量線８１から供給される（信号Ａ＝Ｖｓｃ＝ＶCOM）。
【００４５】
これにより、１画面分を保持して静止画像として表示することができる。また他のゲートドライバ５０、ドレインドライバ６０及び外付けＬＳＩ９１には電圧が印加されていない状態である。
【００４６】
このとき、ドレイン信号線６１にデジタル映像信号で「Ｈ（ハイ）」が保持回路１１０に入力された場合には、信号選択回路１２０において第１のＴＦＴ１２１には「Ｌ」が入力されることになるので第１のＴＦＴ１２１はオフとなり、他方の第２のＴＦＴ１２２には「Ｈ」が入力されることになるので第２のＴＦＴ１２２はオンとなる。
【００４７】
そうすると、信号Ｂが選択されて液晶には信号Ｂの電圧が印加される。即ち、信号Ｂの交流電圧が印加され、液晶が電界によって立ち上がるため、ＮＷの表示パネルでは表示としては黒表示として観察できる。
【００４８】
ドレイン信号線６１にデジタル映像信号で「Ｌ」が保持回路１１０に入力された場合には、信号選択回路１２０において第１のＴＦＴ１２１には「Ｈ」が入力されることになるので第１のＴＦＴ１２１はオンとなり、他方の第２のＴＦＴ１２２には「Ｌ」が入力されることになるので第２のＴＦＴ１２２はオフとなる。
【００４９】
すると、信号Ａ（補助容量線８１から供給される場合はＶｓｃ）が選択されて液晶には信号Ａの電圧が印加される。即ち、対向電極３２と同じ電圧が印加されるため、電界が発生せず液晶は立ち上がらないため、ＮＷの表示パネルでは表示としては白表示として観察できる。
【００５０】
このように、１画面分を書き込みそれを保持することにより静止画像として表示できるが、その場合には、各ドライバ５０，６０及びＬＳＩ９１の駆動を停止するので、その分省消費電力化することができる。
【００５１】
本発明の表示装置は、液晶表示装置の中でも特に、反射型液晶表示装置に適用することが好ましい。そこで、この反射型液晶表示装置のデバイス構造について図５を参照しながら説明する。
【００５２】
図５に示すように、一方の絶縁性基板１０上に、多結晶シリコンから成り島化された半導体層１１上にゲート絶縁膜１２を形成し、半導体層１１の上方であってゲート絶縁膜１２上にゲート電極１３を形成する。
【００５３】
ゲート電極１３の両側に位置する下層の半導体層１１には、ソース１１ｓ及びドレイン１１ｄが形成されている。ゲート電極１３及びゲート絶縁膜１２上には層間絶縁膜１４を堆積し、そのドレイン１１ｄに対応した位置及びソース１１ｓに対応した位置にコンタクトホール１５が形成されており、そのコンタクトホール１５を介してドレイン１１ｄはドレイン電極１６に接続されており、ソース１１ｓは層間絶縁膜１４上に設けた平坦化絶縁膜１７に設けたコンタクトホール１８も介して表示電極１９に接続されている。
【００５４】
平坦化絶縁膜１７上に形成された各表示電極１９はアルミニウム（Ａｌ）等の反射材料から成っている。各表示電極１９及び平坦化絶縁膜１７上には液晶２１を配向するポリイミド等から成る配向膜２０が形成されている。
【００５５】
他方の絶縁性基板３０上には、赤（Ｒ）、緑（Ｇ）、青（Ｂ）の各色を呈するカラーフィルタ３１、ＩＴＯ（Indium Tin Oxide）等の透明導電性膜から成る対向電極３２、及び液晶２１を配向する配向膜３３が順に形成されている。カラー表示としない場合にはカラーフィルタ３１は不要である。
【００５６】
こうして形成された一対の絶縁性基板１０，３０の周辺を接着性シール材によって接着し、それによって形成された空隙に液晶２１を充填して、反射型液晶表示装置が完成する。
【００５７】
図中点線矢印で示すように、観察者１側から入射した外光は、対向電極基板３０から順に入射し、表示電極１９によって反射されて、観察者１側に出射し、表示を観察者１が観察することができる。
【００５８】
このように、反射型液晶表示装置は外光を反射させて表示を観察する方式であり、透過型の液晶表示装置のように、観察者側と反対側にいわゆるバックライトを用いる必要が無いため、そのバックライトを点灯させるための電力を必要としない。従って、本発明の表示装置として、バックライト不要で省消費電力化に適した反射型液晶表示装置であることが好ましい。
【００５９】
上述の実施の形態においては、１画面の全ドットスキャン期間には、対向電極電圧及び信号Ａ及びＢの電圧は印加している場合について示したが、本発明はそれに限定されるものではなく、この期間においてもこれらの各電圧を印加しなくても良い。しかしながら消費電力を低減させるためには、好ましくは印加しない方が良い。
【００６０】
また、上述の実施の形態においては、デジタル表示モードにおいて、１ビットのデジタルデータ信号を入力した場合について説明したが、本発明はそれに限定されるものではなく、複数ビットのデジタルデータ信号の場合でも適用することが可能である。そうすることにより、多階調の表示を行うことができる。その際、入力するビット数に応じた保持回路及び信号選択回路の数にする必要がある。
【００６１】
また、上述の実施の形態においては、静止画像を液晶表示パネルの一部に表示する場合を説明したが、本願はそれに限定されるものではなく、全表示画素に静止画を表示することも可能であり、本願発明の特有の効果を奏するものである。
【００６２】
上述の実施の形態においては、反射型液晶表示装置の場合について説明したが、１画素内でＴＦＴ、保持回路、信号選択回路及び信号配線を除く領域に透明電極を配置することにより、透過型液晶表示装置にも用いることができる。また、透過型液晶表示装置に用いた場合にも、１画面を表示した後に、ゲートドライバ５０並びにドレインドライバ６０及び外付けのパネル駆動用ＬＳＩ９１への電圧供給を停止することにより、その分の消費電力の低減を図ることができる。
【００６３】
【発明の効果】
本発明の表示装置によれば、１つの表示装置で、アナログ表示モードによるフルカラーの動画像表示と、デジタル表示モードによる低消費電力のデジタル階調表示という２種類の表示を選択することが可能となる。
【００６４】
また、補助容量の一方の電極をバイアスする補助容量線と第１又は第２の信号線とを共通化したので、信号線を１本削減することができ、画素の高精細化を実現することができる。
【図面の簡単な説明】
【図１】本発明の実施形態に係る液晶表示装置の回路構成図である。
【図２】本発明の実施形態に係る映像信号の切換回路の回路構成図である。
【図３】本発明の実施形態に係る液晶表示装置の他の回路構成図である。
【図４】本発明の実施形態に係る液晶表示装置のタイミング図である。
【図５】反射型液晶表示装置の断面図である。
【図６】従来例に係る液晶表示装置の回路構成図である。
【図７】従来例に係る液晶表示装置の他の回路構成図である。
【符号の説明】
１０          絶縁性基板
１３          ゲート
２１          液晶
４０          回路選択回路
４３          回路選択回路
５０          ゲートドライバ
５１          ゲート信号線
６０          ドレインドライバ
６１          ドレイン信号線
７０          画素選択回路
８５          補助容量
１１０        保持回路
１２０        信号選択回路
【図１】
0003711006.tif 000002
【図２】
0003711006.tif 000003
【図３】
0003711006.tif 000004
【図４】
0003711006.tif 000005
【図５】
0003711006.tif 000006
【図６】
0003711006.tif 000007
【図７】
0003711006.tif 000008